(57)【要約】【課題】レンズをより強固に保持しつつ、レンズユニットの小型化を図ること。【解決手段】レンズユニット５０は、一方に対する他方の嵌め込みに応じて双方が部分的に変形し、嵌め込み方向に沿って延在する双方の対向面間が押圧状態になることで互いに係合した保持枠３０及び蓋部３５と、保持枠３０及び蓋部３５間の係合に応じて、保持枠３０及び蓋部３５間に位置決めされたレンズ１０と、を備える。保持枠３０は、レンズ１０を収納する空間を有し、蓋部３５は、保持枠３０からのレンズ１０の離脱を規制している。【選択図】図１
2010256583.tif 000002
【特許請求の範囲】
【請求項１】
一方に対する他方の嵌め込みに応じて双方が部分的に変形し、嵌め込み方向に沿って延在する双方の対向面間が押圧状態になることで互いに係合した第１及び第２枠体と、
前記第１及び第２枠体間の係合に応じて、前記第１及び第２枠体間に位置決めされた少なくとも１つのレンズと、
を備えるレンズユニット。
【請求項２】
前記第２枠体は、前記レンズを収納する空間を有し、
前記第１枠体は、前記第２枠体からの前記レンズの離脱を規制することを特徴とする請求項１に記載のレンズユニット。
【請求項３】
前記第１及び第２枠体は、前記レンズの光軸に対応する部分に開口を有することを特徴とする請求項１又は２に記載のレンズユニット。
【請求項４】
前記第１及び第２枠体は、前記レンズを囲む筒状部分を有し、
前記第１枠体の前記対向面は、当該第１枠体の筒状部分の内側面であり、
前記第２枠体の前記対向面は、当該第２枠体の筒状部分の外側面であることを特徴とする請求項１乃至３のいずれか一項に記載のレンズユニット。
【請求項５】
前記第１枠体と前記レンズとは、一方に形成された突出部が他方に形成された窪部に嵌め合わされることで、互いに当接していることを特徴とする請求項１乃至４のいずれか一項に記載のレンズユニット。
【請求項６】
前記第１及び第２枠体の境界部分に形成されると共に、前記第１及び第２枠体を互いに固着する接着剤を受け入れる接着剤溜り部を更に備えることを特徴とする請求項１乃至５のいずれか一項に記載のレンズユニット。
【請求項７】
前記レンズは、前記第１及び第２枠体に対して接着剤により固着されていないことを特徴とする請求項１乃至６のいずれか一項に記載のレンズユニット。
【請求項８】
前記第２枠体は、複数のレンズを収納し、
前記レンズの光軸に沿う前記第１枠体の幅は、前記レンズの光軸に沿う前記第２枠体の幅以下であることを特徴とする請求項１乃至７のいずれか一項に記載のレンズユニット。
【請求項９】
前記第２枠体は、複数のレンズを収納し、
最も物体側に位置する前記レンズは、広角レンズであることを特徴とする請求項１乃至８のいずれか一項に記載のレンズユニット。
【請求項１０】
請求項１乃至９のいずれか一項に記載のレンズユニットと、
前記レンズを介して入力する像を撮像する撮像手段と、
を備える撮像装置。
【請求項１１】
第１枠体の収納空間にレンズを配置し、
前記第１枠体に対して第２枠体を嵌め込むことで、嵌め込み方向に沿って延在する前記第１及び第２枠体の対向面同士を押圧状態とし、
前記第１枠体に対する前記第２枠体の嵌め込みに応じて、前記第１及び第２枠体間に前記レンズを位置決めする、
レンズユニットの製造方法。
【発明の詳細な説明】
【技術分野】
【０００１】
本発明は、レンズユニット、撮像装置、及びレンズユニットの製造方法に関する。
【背景技術】
【０００２】
近年、様々な電子機器にカメラが実装され、携帯電話、ノートパソコン等の小型な移動型電子機器にもカメラが組み込まれることが一般的になりつつある。カメラが組み込まれる電子機器の小型化及び低価格化に伴い、それに組み込まれるカメラの小型化及び低価格化の要請も著しい。また、同様の論理で、カメラに組み込まれるレンズ鏡筒の小型化及び低価格化の要請も著しい。
【０００３】
特許文献１には、レンズ鏡筒の簡素化、小型化、低コスト化等を図る技術が開示されている。具体的には、レンズ枠を固定部材でベースに取り付ける機構が開示されている。特許文献２には、保持枠に対してレンズを高精度に組み付ける機構が開示されている。具体的には、熱変形によりレンズを光軸方向の一方側に押圧してレンズを固定する構造が開示されている。
【先行技術文献】
【特許文献】
【０００４】
【特許文献１】特開２００７−２９８５９１号公報
【特許文献２】特開２００４−３４７９９６号公報
【発明の概要】
【発明が解決しようとする課題】
【０００５】
特許文献２に開示されているように、熱カシメ、又は接着剤による接着によって、レンズを保持枠に対して固定することが行われている。しかしながら、熱カシメの場合、保持枠の変形部分でレンズを支えるため、レンズの保持力がそもそも弱い。落下等の衝撃が加わると、保持枠からレンズが離脱してしまうおそれがある。他方、接着剤による接着の場合、接着剤の塗布空間を確保することに応じて保持枠の小型化が阻害されてしまう場合がある。
【０００６】
上述の説明から明らかなように、レンズをより強固に保持しつつ、レンズユニットの小型化を図ることが強く要求されている。
【課題を解決するための手段】
【０００７】
本発明に係るレンズユニットは、一方に対する他方の嵌め込みに応じて双方が部分的に変形し、嵌め込み方向に沿って延在する双方の対向面間が押圧状態になることで互いに係合した第１及び第２枠体と、前記第１及び第２枠体間の係合に応じて、前記第１及び第２枠体間に位置決めされた少なくとも１つのレンズと、を備える。
【０００８】
前記第２枠体は、前記レンズを収納する空間を有し、前記第１枠体は、前記第２枠体からの前記レンズの離脱を規制する、と良い。
【０００９】
前記第１及び第２枠体は、前記レンズの光軸に対応する部分に開口を有する、と良い。
【００１０】
前記第１及び第２枠体は、前記レンズを囲む筒状部分を有し、前記第１枠体の前記対向面は、当該第１枠体の筒状部分の内側面であり、前記第２枠体の前記対向面は、当該第２枠体の筒状部分の外側面である、と良い。
【００１１】
前記第１枠体と前記レンズとは、一方に形成された突出部が他方に形成された窪部に嵌め合わされることで、互いに当接している、と良い。
【００１２】
前記第１及び第２枠体の境界部分に形成されると共に、前記第１及び第２枠体を互いに固着する接着剤を受け入れる接着剤溜り部を更に備える、と良い。
【００１３】
前記レンズは、前記第１及び第２枠体に対して接着剤により固着されていない、と良い。
【００１４】
前記第２枠体は、複数のレンズを収納し、前記レンズの光軸に沿う前記第１枠体の幅は、前記レンズの光軸に沿う前記第２枠体の幅以下である、と良い。
【００１５】
前記第２枠体は、複数のレンズを収納し、最も物体側に位置する前記レンズは、広角レンズである、と良い。
【００１６】
本発明に係る撮像装置は、上述のいずれかに記載のレンズユニットと、前記レンズを介して入力する像を撮像する撮像手段と、を備える。
【００１７】
本発明に係るレンズユニットの製造方法は、第１枠体の収納空間にレンズを配置し、前記第１枠体に対して第２枠体を嵌め込むことで、嵌め込み方向に沿って延在する前記第１及び第２枠体の対向面同士を押圧状態とし、前記第１枠体に対する前記第２枠体の嵌め込みに応じて、前記第１及び第２枠体間に前記レンズを位置決めする。
【発明の効果】
【００１８】
本発明によれば、レンズをより強固に保持しつつ、レンズユニットの小型化を図ることができる。
【図面の簡単な説明】
【００１９】
【図１】本発明の第１実施形態にかかるレンズユニットの概略的な斜視図である。
【図２】本発明の第１実施形態にかかるレンズユニットの概略的な端面模式図である。
【図３】本発明の第１実施形態にかかるレンズユニットの概略的な部分端面模式図である。
【図４】本発明の第１実施形態にかかるカメラモジュールの概略的な端面模式図である。
【図５】本発明の第１実施形態にかかるレンズユニットの概略的な上面図である。
【図６】本発明の第１実施形態にかかるレンズユニットの概略的な背面図である。
【図７】本発明の第１実施形態にかかるレンズユニットの概略的な製造工程図である。
【図８】本発明の第１実施形態にかかるレンズユニットの概略的な製造工程図である。
【図９】本発明の第１実施形態にかかるレンズユニットの概略的な製造工程図である。
【図１０】本発明の比較例にかかるレンズユニットの概略的な端面図である。
【図１１】本発明の比較例にかかるレンズユニットの概略的な端面図である。
【図１２】本発明の第２実施形態にかかるレンズユニットの概略的な端面図である。
【図１３】本発明の第２実施形態にかかるレンズユニットの概略的な上面図である。
【図１４】本発明の第２実施形態にかかるレンズユニットの概略的な背面図である。
【発明を実施するための形態】
【００２０】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視することを前提とする。
【００２１】
〔第１実施の形態〕
以下、図１乃至図９を参照して、本発明の第１実施形態について説明する。図１にレンズユニットの概略的な斜視図を示す。図２にレンズユニットの概略的な端面模式図を示す。図３にレンズユニットの概略的な部分端面模式図を示す。図４にカメラモジュールの概略的な端面模式図を示す。なお、図１及び図２に示すレンズユニット５０は、図４に示すカメラモジュール１００に組み込まれる。
【００２２】
はじめに図４を参照して説明する。図４に示すように、カメラモジュール（撮像装置）１００は、レンズユニット（レンズ部品）５０、台座ホルダ５１、ＩＲカットフィルタ５２、イメージセンサ（撮像素子、撮像手段）５３、配線基板５４、信号処理回路５５、及びケース５６を備える。
【００２３】
レンズユニット５０は、レンズ（広角レンズ）１０、遮光板１４、レンズ１５、絞り部材２０、レンズ２５、保持枠（枠体）３０、及び蓋体（枠体）３５を備える。台座ホルダ５１は、収容部５１ａ、収容部５１ｂ、及び隔壁部５１ｃを有する。ケース５６は、上部ケース５６ａ、及び下部ケース５６ｂを有する。
【００２４】
カメラモジュール１００は、レンズユニット５０が保持するレンズを介して入力する像をイメージセンサ５３で撮像する。イメージセンサ５３の各画素には、レンズ１０、遮光板１４の開口、レンズ１５、絞り部材２０の開口、レンズ２５、保持枠３０の開口、及びＩＲカットフィルタ５２を順次伝播した入射光が入力する。イメージセンサ５３の各画素では入射光強度に応じて電荷が生成される。イメージセンサ５３の各画素から任意のタイミングで蓄積電荷を読み出すことによって、イメージセンサ５３が取得した像データを読み出すことができる。このようにして、カメラモジュール１００は像取得を実行する。
【００２５】
以下、カメラモジュール１００の構成について具体的に説明する。なお、レンズユニット５０の構成については後述する。
【００２６】
台座ホルダ５１は、上述のように、収容部５１ａ、収容部５１ｂ、及び隔壁部５１ｃを有する。収容部５１ａは、レンズユニット５０の形状に応じて円筒状に形成されている。収容部５１ａは、レンズユニット５０を受け入れる空間を有する。収容部５１ａの内側面には、ネジ溝が形成されている。また、レンズユニット５０の下部外周面にはネジ山３０ｆが形成されている（図１参照）。収容部５１ａの上端部分のネジ溝とレンズユニット５０の下端部分のネジ山３０ｆとを当接させた状態で、レンズユニット５０をｘｚ平面で回転させることによって、レンズユニット５０は収容部５１ａへ螺入される。台座ホルダ５１とレンズユニット５０間の係合部４０は、上述のネジ溝とネジ山間の嵌め合いによって形成される。なお、台座ホルダ５１とレンズユニット５０間の係合方法は任意である。また、説明の便宜上、図４では、ネジ山とネジ溝間の嵌め合い部分を非常に簡略化して示している。
【００２７】
収容部５１ｂは、方形状に形成されている（上面視を前提とする）。なお、収容部５１ｂの具体的な形状は任意であり、円筒状でも良い。収容部５１ｂは、イメージセンサ５３を内部空間に収容する。また、収容部５１ｂは、配線基板５４上に実装される。イメージセンサ５３、ＩＲカットフィルタ５２、配線基板５４、信号処理回路５４、及びケース５６も方形状に形成されている（上面視を前提とする）。
【００２８】
隔壁部５１ｃは、レンズ１０、１５、２５の光軸に対応した位置に開口を有する。また、隔壁部５１ｃは、レンズユニット５０の収容空間とイメージセンサ５３の収容空間とを隔てる。隔壁部５１ｃは、収容部５１ａ及び収容部５１ｂの境界部分に設けられ、その境界部分から内側へ延在する。ＩＲカットフィルタ５２は、隔壁部５１ｃの先端部分に接着剤により固着される。
【００２９】
なお、台座ホルダ５１は、樹脂を金型で成形することによって製造される。台座ホルダ５１に遮光機能を持たせるために、台座ホルダ５１を黒色樹脂で成型すると良い。なお、台座ホルダ５１は、上述のケース５６と別体である必要はなく、両者を１部品として成型しても良い。
【００３０】
ＩＲカットフィルタ５２は、平板状の光学素子であって、赤外線の透過を遮断する特性を有する。ＩＲカットフィルタ５２の採用によって、不要な赤外帯域の光線の影響によって撮像品質が低下することを抑制することができる。ＩＲカットフィルタ５２は、上述のように、台座ホルダ５１の隔壁部５１ｃの先端部分に接着剤により固着される。
【００３１】
イメージセンサ５３は、ＣＣＤ(Charge Coupled Device)、ＣＭＯＳ(Complementary Metal Oxide Semiconductor)等の一般的な半導体撮像素子である。イメージセンサ５３は、ｘｚ平面内にマトリクス状に配置された複数の画素を有する。イメージセンサ５３は、各画素で入射光に応じて電荷を生成する。イメージセンサ５３は、配線基板５４を介して、生成した信号を信号処理回路５５に出力する。
【００３２】
配線基板５４は、一般的なガラエポ基板であり、イメージセンサ５３が上面に実装され、信号処理回路５５が下面に実装される。配線基板５４には、イメージセンサ５３と信号処理回路５５間を接続する貫通電極が形成されている。
【００３３】
信号処理回路５５は、イメージセンサ５３から出力される信号を処理する通常の半導体集積回路である。例えば、イメージセンサ５３から順次出力される信号を順次デジタル信号に変換し、このデジタル信号に対してデジタル信号処理を実行する。なお、イメージセンサ５３内にＡ／Ｄ変換回路を組み込む場合、信号処理回路５５側でＡ／Ｄ変換を実行する必要はない。
【００３４】
ケース５６は、上述のように、上部ケース５６ａ及び下部ケース５６ｂを有する。上部ケース５６ａの下端部分には、内周部分が外周部分よりも下方へ突出した凸部が形成されている。下部ケース５６ｂの上端部分には、内周部分が外周部分よりも下方へ窪んだ凹部が形成されている。上部ケース５６ａの凸部と下部ケース５６ｂの凹部を嵌め合わせることによって、上部ケース５６ａは下部ケース５６ｂに対して取り付けられる。なお、上部ケース５６ａと下部ケース５６ｂ間の取り付け方法は任意である。
【００３５】
上部ケース５６ａ及び下部ケース５６ｂによって形成される空間内には、レンズユニット５０、台座ホルダ５１、ＩＲカットフィルタ５２、イメージセンサ５３、配線基板５４、及び信号処理回路５５が収容される。外乱光の影響を低減するため、黒色樹脂の金型成型等によってケース５６を製造すると良い。
【００３６】
以下、図１乃至図３を参酌して、レンズユニット５０の具体的な構成について説明する。
【００３７】
図１に示すように、レンズユニット５０は、上部が下部よりもｘ軸方向に幅広い側面視Ｔ字状のレンズ部品（光学部品）である。図２に示すように、レンズユニット５０は、レンズ１０、遮光板１４、レンズ１５、絞り部材２０、レンズ２５、保持枠３０、及び蓋体３５を備える。
【００３８】
本実施形態では、保持枠３０に対して蓋体３５を圧力をかけて嵌め合わせることで、保持枠３０と蓋体３５間にレンズ１０を位置決めする。これによって、従来の熱カシメを採用する場合と比較して、レンズ１０をより強固に保持することができる。また、従来の接着剤による接着方法と比較して、レンズ１０を位置固定するための接着剤の塗布空間を省略することができ、レンズユニット５０（端的には、保持枠３０）の小型化を図ることができる。
【００３９】
図２に示すように、レンズ１０は、レンズ面１０ａ、１０ｂを有する上面視円形状の広角レンズ（光学素子）である。レンズ面１０ｂの曲率は、レンズ面１０ａの曲率よりも大きい。最も物体側に位置するレンズとして広角レンズを採用することによって、イメージセンサ５３で撮像することができる空間範囲を効果的に拡大することができる。より広い範囲の撮像空間を確保することによって、カメラモジュール１００を例えば監視用途等に活用することができる。
【００４０】
レンズ１０のフランジ部の外周部分は薄肉化されている。具体的には、レンズ１０のフランジ部は、肉厚ＴＨ１程度の厚みを有する外周部分１０ｃと、肉厚ＴＨ２程度の厚みを有する内周部分１０ｄとから成る。外周部分１０ｃと内周部分１０ｄ間の肉厚差に応じて、レンズ１０の上縁部分には凹部（窪部）１１が形成される。レンズ１０のフランジ部の外周部分を薄肉化することによって、レンズユニット５０の高さ（ｙ軸方向の幅）を増加させることなく、レンズ１０に対して蓋体３５を当接させる空間を確保することができる。
【００４１】
遮光板１４は、光軸ＡＸに対応して開口ＯＰ１を有する遮光性の板状部材である。遮光板１４の上面視形状は円形状である。遮光板１４は、例えば、黒色樹脂を金型により成型又は切削加工により成形することで製造される。
【００４２】
レンズ１５は、レンズ面１５ａ、及びレンズ面１５ｂを有する上面視円形状の光学素子である。レンズ１５は、レンズ部の肉厚ＴＨ４がフランジ部の肉厚ＴＨ５よりも薄く形成されている。
【００４３】
絞り部材２０は、光軸ＡＸに対応して開口ＯＰ２を有する遮光性の板状部材である。絞り部材２０の上面視形状は円形状である。絞り部材２０は、例えば、黒色樹脂を金型により成型又は樹脂プレートの切削加工により成形することで製造される。絞り部材２０は、肉厚ＴＨ７の平板部分と、内側へ向かって肉厚ＴＨ６が小さくなる先細り部分とを有する。なお、ここでは絞り部材２０は、レンズ間に配置され、光学的な絞り機能を有する。
【００４４】
レンズ２５は、レンズ面２５ａ、及びレンズ面２５ｂを有する上面視円形状の光学素子である。レンズ２５のフランジ部は、肉厚ＴＨ８の内周部と肉厚ＴＨ９の外周部とか成る（ただし、肉厚ＴＨ８＞肉厚ＴＨ９）。なお、レンズ２５の材料は任意である。例えば、レンズ２５は、プラスチック、ガラス等の材料からなる。この点は、レンズ１０レンズ１５にも同様に当てはまる。なお、本実施形態では、従来の熱カシメによる場合とは異なり、レンズ１０は耐熱性を具備することが要求されなく、レンズユニット５０の設計又は製造上の自由度を高めることができる。
【００４５】
保持枠３０は、レンズ２５、絞り部材２０、レンズ１５、遮光板１４、及びレンズ１０をこの順で収容する。保持枠３０は、ｘ軸方向の収容部品の幅に応じて、上方に向かってｘ軸方向の収容空間の幅が拡大している。なお、レンズ２５、絞り部材２０、レンズ１５、遮光板１４、及びレンズ１０は、圧力をかけて保持枠３０内に嵌め込まれている。ただし、遊びの空間を持たせた状態で、レンズ２５、絞り部材２０、レンズ１５、遮光板１４、及びレンズ１０を保持枠３０内に配置しても良い。
【００４６】
図３に示すように、保持枠３０は、底部３０ａ、下部３０ｂ、下胴部３０ｃ、上胴部３０ｄ、及び頂部３０ｅを有する。なお、以下の説明では、適宜、図２も併せて参照するものとする。
【００４７】
底部３０ａは、レンズ２５のレンズ部を部分的に収容する開口ＯＰ３を有する平板状部分である。なお、底部３０ａの上面には、レンズ２５のフランジ部が当接する。
【００４８】
下部３０ｂは、レンズ２５を囲む円筒状部分であり、レンズ２５のレンズ径に応じた幅Ｗ１の収容空間を有する。下部３０ｂの内周側面には、レンズ２５のフランジ部の外周側面が当接する。
【００４９】
下胴部３０ｃは、絞り部材２０を囲む円筒状部分であり、絞り部材２０のｘ軸方向の幅に応じた幅Ｗ２の収容空間を有する。下胴部３０ｃの内周側面には、絞り部材２０の外周側面が当接する。
【００５０】
上胴部３０ｄは、レンズ１５を囲む円筒状部分であり、レンズ１５のレンズ径に応じた幅Ｗ３の収容空間を有する。上胴部３０ｄの内周側面には、レンズ１５の外周側面が当接する。
【００５１】
頂部３０ｅは、レンズ１０を囲む円筒状部分であり、レンズ１０のレンズ径に応じた幅Ｗ４の収容空間を有する。頂部３０ｅの内周側面には、レンズ１０の外周側面及び遮光板１４の外周側面が当接する。なお、Ｗ１＞Ｗ２＞Ｗ３＞Ｗ４の関係が成立する。
【００５２】
また、図３に示すように、保持枠３０は、幅Ｗ１０の下筒部３０ｐ、及び幅Ｗ１１の上筒部３０ｑを有する。なお、幅Ｗ１０＜幅Ｗ１１の関係が成立する。下筒部３０ｐの外周面には、ネジ山３０ｆが螺旋状に形成されている。上筒部３０ｑの外周面は、レンズの光軸に実質的に平坦な外周側面３０ｇが形成されている。
【００５３】
蓋体３５は、保持枠３０に対して圧力をかけて嵌め合わされ、保持枠３０に収納された部品が保持枠３０から離脱することを規制する。図３に示すように、蓋体３５は、光軸ＡＸに対応して開口を有する筒状体であって、輪状部（突出部）３５ａ及び輪状部３５ｂから成る。
【００５４】
輪状部３５ａは、レンズ１０のフランジ部の内周部分１０ｄを囲む。輪状部３５ａの内周側面３５ａ１とレンズ１０の外周側面１２ｄ間には遊びの間隔ＳＰ１が設けられている。このような空間的な遊びを持たせることによって、製造上の誤差によって蓋部３５でレンズ１０を押さえ込むことができなくなることを抑制することができる。輪状部３５ａの下面３５ａ２は、レンズ１０のフランジ部の外周部分１０ｃの上面及び保持枠３０の上端面に対して当接している。
【００５５】
輪状部３５ｂは、保持枠３０の上筒部３０ｑを囲む。輪状部３５ｂの内周側面３５ｂ１は、上筒部３０ｑの外周側面３０ｇに当接している。
【００５６】
本実施形態では、図３に示すように蓋体３５が保持枠３０から離脱した状態で、蓋体３５に形成された収納空間のｘ軸に沿う幅Ｗ１２は、保持枠３０のｘ軸に沿う幅Ｗ１１未満である。ここでは、蓋体３５を保持枠３０に対して嵌め込むために、ｙ軸方向に沿って上方から下方へ蓋体３５を保持枠３０に対して圧力をかける。ｙ軸方向に沿って上方から下方へ蓋体３５を保持枠３０に対して圧力をかけて両者を嵌め合わせることによって、保持枠３０に対して蓋体３５を仮固定することができる。
【００５７】
なお、この状態のとき、蓋体３５の内周側面３５ｂ１は、保持枠３０の外周側面３０ｇを内側へ押圧している。また、同様に、保持枠３０の外周側面３０ｇは、蓋体３５の内周側面３５ｂ１を外側へ押圧している。これは、上述のように、幅Ｗ１１＞幅Ｗ１２の関係が成立するためである。なお、蓋体３５の内周側面３５ｂ１、保持枠３０の外周側面３０ｇらは、互いに対向する対向面として把握できる。なお、これら対向面は、平坦面に限らず、凸凹面、粗面等であっても構わない。
【００５８】
本実施形態では、上述のように、蓋体３５を保持枠３０に対して圧力をかけて嵌め合わせる。これによって、蓋体３５と保持枠３０間にレンズ１０を位置決めし、保持枠３０からレンズ１０から離脱しないようにすることができる。これによって、従来よりも、より強固にレンズ１０を保持しつつ、レンズユニット５０の小型化を図ることができる。
【００５９】
次に、図５にレンズユニット５０の概略的な上面図を示す。図５に示すように、蓋体３５の上縁部には４つの窪部３５ｃが設けられている。工具の使用によって蓋体３５を回転させることによって、台座ホルダ５１に対してレンズユニット５０を螺入させることができる。なお、破線ＤＬ１は、蓋体３５の内周側面３５ｂ１と保持枠３０の外周側面３０ｇ間の境界面を示す。破線ＤＬ２は、保持枠３０の頂部３０ｅの内周側面とレンズ１０のフランジ部の外周側面間の境界面を示す。また、ＤＬ３は、破線ＤＬ２の円弧に対して弦状に形成された回転止めである。
【００６０】
次に、図６にレンズユニット５０の概略的な背面図を示す。図６に示すように、蓋体３５と保持枠３０間の境界部分には、４つの接着剤溜り部３６が設けられている。複数の接着剤溜り部３６を等間隔で設けることによって、蓋体３５と保持枠３０間をより強固に固着させることができる。なお、接着剤により蓋体３５と保持枠３０間を固定しなくても両者を互いに固定することができるが、落下時の衝撃耐性を高めるためには、圧入による仮固定に加えて、接着剤により両者を接着固定することが望ましい。
【００６１】
なお、接着剤溜り部３６のある部分にレーザー光を照射することによって、蓋体３５と保持枠３０間を溶着させても良い。なお、この場合、接着剤溜り部３６のような窪みを形成する必要はない。レーザー溶接の場合、一般的に、溶接箇所の外観が劣化するおそれがある。本実施形態では、物体側から隠れた箇所を溶接箇所としているため、レーザー溶接に伴いレンズユニット５０の外観が著しく損なわれることは抑制されている。
【００６２】
以下、図７乃至図９を参照して、レンズユニット５０の製造方法について説明する。
【００６３】
まず、図７に示すように、保持枠３０の収納空間へ、レンズ２５、絞り部材２０、レンズ１５、遮光板１４、及びレンズ１０をこの順で圧入する。なお、遊びの空間を持たせて、保持枠３０の収納空間へ、上述の構成部品を配置しても良い。
【００６４】
次に、図８に示す蓋体３５を保持枠３０に対して圧力をかけて嵌め合わせる。上述のように、蓋体３５に形成された収納空間のｘ軸に沿う幅Ｗ１２は、保持枠３０のｘ軸に沿う幅Ｗ１１未満である。ｙ軸方向に沿って上方から下方へ蓋体３５を保持枠３０に対して圧力をかけて嵌め込むことによって、保持枠３０に対して蓋体３５を仮固定することができる。保持枠３０に対する蓋体３５の仮固定に応じて、蓋体３５はレンズ１０に当接し、保持枠３０からのレンズ１０の離脱を規制する。蓋体３５は、保持枠３０からのレンズ１０の離脱を規制するキャップ部材（規制部材）として機能する。
【００６５】
次に、図９に模式的に示すように、仮固定状態のレンズユニット５０を反転させ、接着剤溜り部３６に対して接着剤３８を塗布し、保持枠３０と蓋体３５間を本固定する。なお、接着剤３８が熱硬化性の場合には、ヒータ等により加熱する。接着剤３８が紫外線硬化性の場合には、接着剤溜り部３６に塗布した接着剤３８に対して紫外線を照射する。
【００６６】
上述の製造工程を経て組み立てられたレンズユニット５０は、台座ホルダ５１に螺入されて、カメラモジュール１００に組み込まれる。なお、カメラモジュールの組み立て方法は任意である。例えば、次の手順を採用すると良い。まず、配線基板５４に対して、イメージセンサ５３、信号処理回路５５を実装する。次に、台座ホルダ５１にＩＲカットフィルタ５２を固着する。次に、台座ホルダ５１を配線基板５４に対して実装する。その後、レンズユニット５０を台座ホルダ５１に対して螺入する。次に、この組み立て部品を下部ケース５６ｂに収納する。次に、下部ケース５６ｂに対して上部ケース５６ａを取り付ける。このようにして、カメラモジュール１００を製造することができる。
【００６７】
本実施形態では、図７及び図８に示すように、上方から下方側へ構成部品を保持枠３０に嵌め込むことで簡易にレンズユニット５０を組み立てることができる。熱カシメを採用する場合のように、小型なレンズユニット５０の一部分を加熱することは必要ないため、より小さなサイズのレンズユニット５０を製造する場合であっても、その製造効率を低下してしまうことを抑制することができる。また、図９に示すように、レンズユニット５０を反転させ、接着剤３８を塗布することによって、蓋体３５と保持枠３０間を強固に固着させることができる。本実施形態では、主として構造的な嵌め込みによってレンズユニット５０を組み立てることができ、レンズユニット５０の製造方法を簡素化することができる。
【００６８】
また、本実施形態では、最も物体側に広角レンズを配置する。広角レンズは、他の一般的なレンズと比べて、レンズ径が大きく、レンズユニット５０が大型化してしまう。また、レンズ径が大きいことに応じて、レンズ重量も増大してしまう。本実施形態では、レンズユニット５０のｘ軸方向の幅の増大を抑制しつつ、広角レンズをより強固に保持するために、寸法差に応じた嵌め込みで保持枠３０と蓋体３５間を係合させ、保持枠３０と蓋体３５間にレンズ１０を位置決めする。これによって、熱カシメによる方法と比較して、より強固に広角レンズを保持することができる。また、接着による方法と比較して、レンズユニット５０の大型化を抑制することができる。
【００６９】
［第１比較例］
図１０を参照して、第１比較例について説明する。図１０に示すように、保持枠１３０は、レンズ１２５、絞り部材１２０、レンズ１１５、スペーサ１１２、遮光板１１４、レンズ１１０を保持する。保持枠１３０の上端部分を加熱により変形させることで、レンズ１１０は変形部分１３１により位置規制され、保持枠１３０内に位置決めされている。このような熱カシメによる場合、レンズ１１０は、保持枠１３０の変形部分で保持されるのみであり、レンズユニット５０の機械的な強度は低い。特にレンズ径が大きい広角レンズ１１０を最も物体側に配置する場合、保持枠１３０の変形部分１３１のみでレンズ１１０を保持するだけでは十分ではない。
【００７０】
上述の実施形態では、保持枠３０に対して蓋体３５を圧力をかけて嵌め合わせることで、保持枠３０と蓋体３５間にレンズ１０を位置決めする。レンズ１０は、蓋体３５によって直接的に位置規制される。従って、従来の熱カシメを採用する場合と比較して、レンズ１０をより強固に保持することができる。また、主として構造的な嵌め合いによってレンズユニット５０を組み立てることができるため、従来の熱カシメを採用する場合と比較して、レンズユニット５０の製造方法を簡素化することができる。
【００７１】
［第２比較例］
図１１を参照して、第２比較例について説明する。図１１に示すように、保持枠１３０は、レンズ１２５、絞り部材１２０、レンズ１１５、スペーサ１１２、遮光板１１４、レンズ１１０を保持する。保持枠１３０に蓋部１３５を螺入することで、蓋部１３５と保持枠１３０間にレンズ１１０が位置決めされる。蓋体３５と保持枠１３０間の係合部分１４０は、蓋体３５の内周面に形成されたネジ溝と保持枠１３０の外周面に形成されたネジ山間の係合により実現される。
【００７２】
本比較例の場合、蓋部１３５でレンズ１１０を位置規制しているため、レンズ１１０を強固に保持することができる。しかしながら、蓋部１３５と保持枠１３０間をネジ溝とネジ山間の嵌め合いによって係合させているため、その係合部分に応じた空間を蓋部１３５と保持枠１３０間に設ける必要がある。そして、蓋部１３５と保持枠１３０間の係合部分の配置に応じてレンズユニットが大型化してしまう。この点は、レンズ径が大きい広角レンズ１１０を最も物体側に配置する場合には特に無視できない。また、蓋部１３５の内周面に雌ネジが形成されており金型が複雑になる。
【００７３】
上述の実施形態では、上述の説明から明らかなように、蓋体３５と保持枠１３０間の寸法差に応じて両者を押圧状態で係合する。従って、比較例のように、ネジ山とネジ溝間の嵌め合い部分に応じて、レンズユニットが大型化することはない。そして、上述のように、レンズ１０をより強固に保持すること、レンズユニット５０の小型化を図ることの双方の要求を満足することができる。
【００７４】
［第２実施形態］
図１２乃至図１４を参照して本発明の第２実施形態について説明する。図１２に、レンズユニットの概略的な端面模式図を示す。図１３に、レンズユニットの概略的な上面模式図を示す。図１４に、レンズユニットの概略的な下面模式図を示す。
【００７５】
本実施形態では、第１実施形態とは異なり、保持枠３０は、遮光板１４に代えて、スペーサ１４ａを有する。また、本実施形態では、第１実施形態とは異なる形状のレンズ１５を有する。更に、蓋体３５には窪み３５ｃが形成されていない。このような場合であっても第１実施形態と同様の効果を得ることができる。
【００７６】
なお、本発明は上記実施の形態に限られたものではなく、趣旨を逸脱しない範囲で適宜変更することが可能である。例えば、各構成部品（例えば、筒状体、蓋部、レンズ、遮光板、絞り部材）の具体的な形状・大きさ・材質等は任意である。カメラモジュール、レンズユニットの用途はセキュリティー用途に限定されるべきものではない。広角レンズの採用は任意である。
【符号の説明】
【００７７】
１００    カメラモジュール
５０    レンズユニット
１０    レンズ
１１    凹部
１２ｄ    外周側面
１４    遮光板
１４ａ    スペーサ
１５    レンズ
１５ａ    レンズ面
１５ｂ    レンズ面
２０    絞り部材
２５    レンズ
２５    下部
２５    レンズ
２５ａ    レンズ面
２５ｂ    レンズ面
３０    保持枠
３０ａ    底部
３０ｂ    下部
３０ｃ    下胴部
３０ｄ    上胴部
３０ｅ    頂部
３０ｆ    ネジ山
３０ｇ    外周側面
３０ｐ    下筒部
３０ｑ    上筒部
３５    蓋体
３５ａ    輪状部
３５ａ１    内周側面
３５ａ２    下面
３５ｂ    輪状部
３５ｂ１    内周側面
３５ｃ    窪部
３６    接着剤溜り部
３８    接着剤
４０    係合部
【図１】
2010256583.tif 000003
【図２】
2010256583.tif 000004
【図３】
2010256583.tif 000005
【図４】
2010256583.tif 000006
【図５】
2010256583.tif 000007
【図６】
2010256583.tif 000008
【図７】
2010256583.tif 000009
【図８】
2010256583.tif 000010
【図９】
2010256583.tif 000011
【図１０】
2010256583.tif 000012
【図１１】
2010256583.tif 000013
【図１２】
2010256583.tif 000014
【図１３】
2010256583.tif 000015
【図１４】
2010256583.tif 000016